(57)【特許請求の範囲】
【請求項１】
基台の上部に配設され所要量のチップ状氷を収容する貯氷槽と、前記基台の下部に配設され前記貯氷槽へ供給する氷を生成する製氷機構と、同製氷機構の上端部に連結され同製氷機構から供給される氷の一部をチップ状氷として前記貯氷槽の底部に供給するとともに残りの氷を上方へ案内する押出機構と、同押出機構の上端部に連結され同押出機構から案内される氷を上方へ移送してチップ状氷として上端部から吐出して同貯氷槽へ落下させる移送機構を備え、前記貯氷槽の上方に配列された陳列容器内の飲食物類を冷却状態に保持して陳列することを特徴とする貯氷式陳列台。
【請求項２】
請求項１に記載の貯氷式陳列台において、前記移送機構は、前記押出機構の氷を上方へ案内する溝部に連通し上方へ延びる搬送管と、同搬送管の上端開口部に臨み同開口部からの氷のそれ以上の上方への吐出を規制して屈折してチップ状氷として落下させる屈折部と、前記搬送管の外周部を包囲して同搬送管を外気から遮断する筒体を備えていることを特徴とする貯氷式陳列台。
【請求項３】
請求項２に記載の貯氷式陳列台において、前記移送機構を構成する筒体の上端部に、前記搬送管の上端部から吐出されるチップ状氷を所定量受承する受皿を備えていることを特徴とする貯氷式陳列台。
【請求項４】
請求項３に記載の貯氷式陳列台において、前記受皿に、中央部から外周縁側へ漸次下降傾斜する受板が配置されていることを特徴とする貯氷式陳列台。
【請求項５】
請求項１〜４の少なくとも一項に記載の貯氷式陳列台において、当該陳列台を構成する貯氷槽の上方開口部は、前記移送機構が貫通する開口部を有する遮蔽板と、同遮蔽板の側部にて隙間なく配列された陳列容器とにより覆蓋されており、前記遮蔽板が有する開口部は前記受皿からのチップ状氷が通過して落下する形状に形成されていることを特徴とする貯氷式陳列台。
【発明の詳細な説明】
【０００１】
【発明の属する技術分野】
本発明は、サラダ、果物、飲物等、冷たい状態で味わう飲食物類を陳列容器に収容して、冷却状態に保持して陳列するための貯氷式陳列台に関する。
【０００２】
【従来の技術】
貯氷式陳列台の一形式として、特公平６−９１８５７号公報に示されているように、基台の上部に配設され所要量のチップ状氷を収容する貯氷槽と、前記基台の下部に配設され前記貯氷槽へ供給する氷を生成する製氷機構と、前記貯氷槽内に配設されて飲食物類を収容する陳列容器を受承する複数の受承部材を備えた陳列台がある。当該形式の貯氷式陳列台は、人手によらずにチップ状氷を貯氷槽内に順次供給し得るように、かつ飲食品物類の陳列効果を向上させるように意図して提供されたものである。
【０００３】
【発明が解決しようとする課題】
ところで、当該貯氷式陳列台においては、各種の飲食物類を冷却状態に保持して陳列するという陳列効果を有するものの、陳列台の周囲の人々の注意を引き付けて陳列効果を向上させるものがない。
【０００４】
従って、本発明の目的は、人手によらずにチップ状氷を貯氷槽内に順次供給することができるとともに、飲食物類を冷却状態で陳列できる貯氷式陳列台において、貯氷槽内へ供給するチップ状氷の動きを工夫して、陳列台の周囲の人々の注意をチップ状氷の動きに強く引き付けるようにして、飲食物類の冷却状態での陳列効果を一層発揮させることにある。
【０００５】
【課題を解決するための手段】
本発明は貯氷式陳列台に関するもので、当該貯氷式陳列台は、基台の上部に配設され所要量のチップ状氷を収容する貯氷槽と、前記基台の下部に配設され前記貯氷槽へ供給する氷を生成する製氷機構と、同製氷機構の上端部に連結され同製氷機構から供給される氷の一部をチップ状氷として前記貯氷槽の底部に供給するとともに残りの氷を上方へ案内する押出機構と、同押出機構の上端部に連結され同押出機構から案内される氷を上方へ移送してチップ状氷として上端部から吐出して同貯氷槽へ落下させる移送機構を備え、前記貯氷槽の上方に配列された陳列容器内の飲食物類を冷却状態に保持して陳列することを特徴とするものである。
【０００７】
また、当該貯氷式陳列台においては、前記移送機構を、前記押出機構の氷を上方へ案内する溝部に連通し上方へ延びる搬送管と、同搬送管の上端開口部に臨み同開口部からの氷のそれ以上の上方への吐出を規制して屈折しチップ状氷として落下させる屈折部と、前記搬送管の外周部を包囲して同搬送管を外気から遮断する筒体を備えた構成とすること、前記移送機構を構成する筒体の上端部に、前記搬送管の上端部から吐出されるチップ状氷を所定量受承する受皿を備えた構成とすること、前記受皿に中央部から外周縁側へ漸次下降傾斜する受板を配置する構成とすることができる。
【０００８】
また、当該貯氷式陳列台においては、前記貯氷槽の上方開口部を、前記移送機構が貫通する開口部を有する遮蔽板と、同遮蔽板の両側にて隙間なく配列された陳列容器とにより覆蓋する構成とし、前記遮蔽板が有する開口部を前記受皿からのチップ状氷が通過して落下する形状に形成する構成とすることができる。
【０００９】
【発明の作用・効果】
このように構成した貯氷式陳列台においては、移送機構の上端部からチップ状氷が順次吐出して落下するため、このチップ状氷の動きに周囲の人々の注意を引き付けることができて、陳列容器内の飲食物類の陳列効果を一層発揮することができる。
【００１０】
当該貯氷式陳列台において、移送機構を、押出機構の氷を上方へ案内する溝部に連通し上方へ延びる搬送管と、搬送管の上端開口部に臨み同開口部からの氷のそれ以上の上方への吐出を規制して屈折しチップ状氷として落下させる屈折部と、搬送管の外周部を包囲して同搬送管を外気から遮断する筒体を備えた構成とすれば、チップ状氷を搬送管の上端部から円滑に吐出させることができることは勿論のこと、筒体が搬送管に対して外気を遮断するため、搬送管内を移動する氷の同管内での融解が防止され、同管内での融解により、チップ状氷の吐出量が減少するようなことがない。
【００１１】
かかる移送機構を構成する筒体の上端部に、搬送管の上端部から吐出されるチップ状氷を所定量受承する受皿を備えた構成とすれば、搬送管の上端部から吐出されたチップ状氷は一旦受皿に受承された後落下するため、陳列効果は一層向上する。この場合、受皿に中央部から外周縁側へ漸次下降傾斜する受板を配置するように構成すれば、チップ状氷は受皿上の中央部に盛り上がった状態で受皿上にほぼ全体に万遍なく受承され、陳列効果はさらに向上する。
【００１２】
また、当該貯氷式陳列台において、貯氷槽の上方開口部を、移送機構が貫通する開口部を有する遮蔽板と、遮蔽板の両側にて隙間なく配列された陳列容器とにより覆蓋する構成とし、遮蔽板が有する開口部を受皿からのチップ状氷が通過して落下する形状に形成すれば、貯氷槽の上方開口部の全体をほぼ覆蓋した状態で、受皿上のチップ状氷を支障なく貯氷槽内へ落下させることができる。この場合、遮蔽板および陳列容器として透明なものを採用すれば、貯氷槽内のチップ状氷群を視認することができて、周囲の人々の注意を一層引き付ける。
【００１３】
【発明の実施の形態】
以下、本発明を図面に基づいて説明すると、図１〜図３には本発明の一例に係る貯氷式陳列台の外観が示されており、図４および図５には当該陳列台の基台に組付けた各構成部材が示されている。当該陳列台は、基台１０ａ、貯氷槽１０ｂ、製氷機構２０、押出機構３０ａ、移送機構３０ｂ、氷検出機構３０ｃ、冷気循環機構４０ａ，４０ｂ、噴霧機構５０ａ、および排水機構５０ｂを備えている。
【００１４】
基台１０ａは、方形枠状の支持フレーム１１と、支持フレーム１１の下面の４隅に組付けた４個のキャスター１２ａ、および前側両隅に組付けた２本の脚部１２ｂと、支持フレーム１１の下部に固着した左右一対のドレンパン１３ａ，１３ｂと、支持フレーム１１の前面に組付けた３枚の開閉扉１４ａ，１４ｂ，１４ｃと、前面、後面および側面に固着されたパネル１５ａ，１５ｂ，１５ｃを備えている。
【００１５】
各脚部１２ｂは上下方向に進退可能に構成されているもので、前側の各キャスター１２ａに近接して組付けられており、各脚部１２ｂを後退させて床面上から離間させた状態では各キャスター１２ａは床面上に接地して転動可能であり、基台１０ａを所望の位置に容易に移動させることができる。
【００１６】
また、各脚部１２ｂを前進させて床面上に着地させた状態では、前側の各キャスター１２ａは床面上からわずかに浮き上がって自由状態となり、基台１０ａは各脚部１２ｂにて床面上に支持されて容易な移動を規制される。これにより、当該陳列台は床面上に固定した安定状態で運転され、製氷機構２０等に対する給水用配管、排水機構５０ｂ等に対する排水用配管の折曲がり、破損等が防止される。
【００１７】
支持フレーム１１は、図６〜図９に示すように長方形状に枠組されているもので、その上方が長方形状に開口しており、上下方向の中間部には左右一対の棚部１１ａを備えているとともに、下部には各ドレンパン１３ａ，１３ｂが固着されている。両棚部１１ａは後述する貯氷槽１０ｂを支持するもので、両棚部１１ａには前後の両隅部に所定の間隔を保持して水逃穴１１ｂが形成されている。各ドレンパン１３ａ，１３ｂは所定の間隔を保持して固着されているもので、各ドレンパン１３ａ，１３ｂの先端側はわずかに上方へ傾斜して延びている。
【００１８】
支持フレーム１１においては、その上方開口部を通して挿入された貯氷槽１０ｂを両棚部１１ａにて支持している。また、支持フレーム１１の下部には、両ドレンパン１３ａ，１３ｂの間に製氷機構２０が配設され、左側のドレンパン１３ａの上方には噴霧機構５０が配設され、かつ右側のドレンパン１３ｂ上に排水機構５０ｂが配設されている。
【００１９】
貯氷槽１０ｂは、図４、図５および図１０に示すように、断熱材を内蔵した上方が開口する貯氷槽部１６と、筒状の脚部の上端縁部に外方へ張出す枠部を有するテーブル１７とからなるもので、貯氷槽部１６およびテーブル１７は支持フレーム１１の上方開口部に挿入されていて、貯氷槽部１６が棚部１１ａにて支持され、かつテーブル１７が貯氷槽部１６の上端部に当接して支持フレーム１１の上端縁にて支持されている。貯氷槽部１６は支持フレーム１１の棚部１１ａにおいては、図９に示すように、棚部１１ａに設けた水逃穴１１ｂの外側略半分が開放される状態に支持されている。貯氷槽１０ｂにおいては、テーブル１７の開口部１７ａに複数の陳列容器１８ａ〜１８ｄが吊下状に支持されているとともに、各陳列容器１８ｂ，１８ｃ間が遮蔽板１９にて覆蓋されている。
【００２０】
製氷機構２０はオーガ式製氷機構であり、図４、図１０および図１１に示すように、製氷機構部２１、コンプッサ２２、コンデンサ２３、冷却ファン２４、製氷水タンク２５等を主要構成部材としており、支持フレーム１１内に配置されて製氷機構部２１の上端部が貯氷槽部１６の下面中央部の近傍に位置している。製氷機構部２１は、オーガを有する製氷部、エバポレータ、駆動モータ等からなるもので、貯氷槽部１６の下方にて起立して同槽１６の下面の近傍に延びており、貯氷槽部１６の底部の略中央部に貫通して組付けた後述する押出機構３０ａに連結されている。
【００２１】
当該製氷機構２０においては、製氷機構部２１を構成する内外両ケーシング２１ａ，２１ｂ間にて内側ケーシング２１ａの外周に巻回されて配置されている冷却管２１ｃに冷却媒体が循環供給されるとともに、内側ケーシング２１ａの内部に製氷水が供給され、同ケーシング２１ａ内にて生成される氷をオーガ２１ｄの回転動作により漸次上方へ移送するとともに圧縮して押出機構３０ａに供給し、押出機構３０ａを経て１〜２ｃｍ程度の長さのチップ状の氷として貯氷槽１０ｂ内に供給する。
【００２２】
押出機構３０ａは、図１０および図１１に示すように、貯氷槽１０ｂの貯氷槽部１６の底部１６ａを気密的に貫通した状態で、製氷機構部２１の内側ケーシング２１ａの先端部に嵌着されている固定刃２１ｅの上端面に固定されている。
【００２３】
押出機構３０ａは、所定長さの円柱状本体３１と、円柱状本体３１の上端に固着された円板状の案内板３２からなるもので、円柱状本体３１の中央部に設けた長手方向に延びる貫通孔に挿通したボルト３３にて、製氷機構部２１の内側ケーシング２１ａの上端部に嵌着した固定刃２１ｅの上端部に固定されていて、貯氷槽部１６の底部の略中央部に突出している。
【００２４】
押出機構３０ａにおいては、円柱状本体３１の外周に長手方向へ延びる複数の第１溝部３１ａと複数の第２溝部３１ｂとが形成されている。各第１溝部３１ａは案内板３２の下面にまで延びているもので、押出機構３０ａが貯氷槽部１６に組付けられた状態においては、貯氷槽部１６の内部に屈曲した状態で開口している。また、各第２溝部３１ｂは案内板３２を貫通して延びていて、案内板３２の上面側に開口している。
【００２５】
移送機構３０ｂは、図１０および図１１に示すように、押出機構３０ａを構成する案内板３２上に載置されて起立して貯氷槽部１６の略中央部を上方へ延びているもので、筒体３４と、筒体３４の上端に固着された受皿３５と、筒体３４および受皿３５を貫通して上方へ突出する搬送管３６と、受皿３５に載置された２枚の受板３７にて構成されている。筒体３４においては、その下端部が押出機構３０ａを構成する案内板３２に載置されて閉塞されているとともに、上端開口部が受皿３５にて閉塞されており、筒体３４の上端縁の周囲には複数の噴出穴３４ａが形成されている。
【００２６】
搬送管３６は一対の管部３６ａ，３６ｂにて構成されているもので、各管部３６ａ，３６ｂの内側壁部３６ｃが管部３６ａ，３６ｂの上端から上方へ突出し、ラッパ状に拡開された状態で一体化されている。ラッパ状の頂部３６ｄは各管部３６ａ，３６ｂの上端開口部の上方に臨んでいる。各管部３６ａ，３６ｂの下端開口部は、押出機構３０ａを構成する円柱状本体３１の各第２溝部３１ｂの上端開口部に対向して連通している。
【００２７】
各受板３７は、図１２の（ａ）〜（ｃ）に示すように、半円形状の板部３７ａの直線状縁部の３箇所の部位に下方へ突出する突起部３７ｂを備えているもので、直線状縁部には一対の凹所３７ｃが形成されていて、これら両凹所３７ｃを挟んで中央部３７ｄが凸起部に形成されている。各受板３７はその各凹所３７ｃを搬送管３６の各管部３６ａ，３６ｂに嵌合した状態で受皿３５に載置され、板部３７ａが直線状縁部から円弧状縁部側へ漸次下降傾斜する状態となっている。
【００２８】
氷検出機構３０ｃは、図４、図５および図１３に示すように、左右一対の揺動板３８ａと、各揺動板３８ａの上端縁に固着した支持棒３８ｂと、支持棒３８ｂの先端に設けた検知板３８ｃと、一対の近接スイッチ３８ｄからなるもので、各揺動板３８ａは貯氷槽１０ｂのテーブル１７の上面部にて左右方向に所定の間隔を保持して左右方向へ回動可能に支持されており、また各近接スイッチ３８ｄは支持板３８ｅの下端部にて左右の側部に所定の間隔を保持して組付けられていて、各検知板３８ｃの下端部とは支持板３８ｅを挟んで対向している。
【００２９】
支持板３８ｅは貯氷槽部１６の外側に位置し、その上端フランジ部の下面側にてテーブル１７の表面側に載置した当板３８ｆに、テーブル１７を挟持した状態で固定されている。各検知板３８ｃは、当板３８ｆおよびテーブル１７に設けたスリット状孔を貫通して、支持板３８ｅとその外側に設けた遮蔽板３８ｇ間を揺動可能に延びている。
【００３０】
各揺動板３８ａにおいては、その長さがテーブル１７の内側幅とほぼ同一に、その高さが貯氷槽部１６の深さより所定長さ短く形成されていて、支持棒３８ｂを介してテーブル１７上に支持された状態では、テーブル１７の内側幅一杯に、かつ貯氷槽部１６の底部１６ａから所定高さ浮いた状態にあり、貯氷槽部１６の左右方向へ揺動可能に吊下されている。各揺動板３８ａは、移送機構３０ｂを挟んで左右に位置している。
【００３１】
氷検出機構３０ｃにおいては、各揺動板３８ａが静止している状態では各検知板３８ｃも静止状態にあって、各近接スイッチ３８ｄは非作動の状態にあり、製氷機構２０から貯氷槽部１６内に順次供給されてくるチップ状氷が各揺動板３８ａに当接して、各揺動板３８ａが揺動して各検知板３８ｃが揺動すると、各近接スイッチ３８ｄが作動してチップ状氷が所定量供給されたことを検出する。
【００３２】
また、各揺動板３８ａは、貯氷槽１０ｂの上方開口部に吊下状に支持されて貯氷槽部１６の内部に臨む各陳列容器１８ａ〜１８ｄ、および遮蔽板１９とともに、貯氷槽１０ｂ内を左右側部に位置する側部冷気室Ｒ1，Ｒ2と、中央部に位置する中央冷気室Ｒ3とに区画している。従って、各揺動板３８ａは貯氷槽部１６内を３つの冷気室Ｒ1，Ｒ2，Ｒ3に区画する仕切板としても機能している。
【００３３】
各側部冷気室Ｒ1，Ｒ2を構成する各陳列容器１８ａ〜１８ｄは、図２、図４および図５に示すように、貯氷槽１０ｂを構成するテーブル１７の開口部１７ａの開口幅よりわずかに短い長さで所定幅の容器部の上端外周縁に、所定幅の鍔部が形成されているものである。また、中央冷気室Ｒ3を構成する遮蔽板１９は、テーブル１７の開口部１７ａの開口幅より長い長さで所定幅のもので、左右側縁部には鍔部１９ａが形成されている。遮蔽板１９においては、その中央部に長円形の第１開口部１９ｂが形成されているとともに、第１開口部１９ｂを挟んで前後にこれより小径の円形の第２開口部１９ｃが形成されている。
【００３４】
遮蔽板１９は、第１開口部１９ｂにて移送機構３０ｂに挿通された状態で氷検出機構３０ｃの両揺動板３８ａの上方に位置して、テーブル１７の開口部１７ａの中央部を覆蓋している。各陳列容器１８ａ，１８ｄは、その鍔部をテーブル１７の開口部１７ａの開口縁部に掛止された状態でテーブル１７の左右側に吊下され、また各陳列容器１８ｂ，１８ｃはその鍔部をテーブル１７の開口部１７ａの開口縁部および遮蔽板１９の各鍔部１９ａに掛止された状態で、陳列容器１８ａと遮蔽板１９との間、および陳列容器１８ｄと遮蔽板１９との間に吊下されている。なお、各第２開口部１９ｃには、各陳列容器１８ａ〜１８ｄに比較して小さい円形状の陳列容器１８ｅ，１８ｆが吊下されている。
【００３５】
これにより、各陳列容器１８ａ〜１８ｄおよび遮蔽板１９は互いに接触した状態で並列して、テーブル１７の開口部１７ａの全面を閉鎖しており、左側の揺動板３８ａの左側に側部冷気室Ｒ1を、右側の揺動板３８ａの右側に側部冷気室Ｒ2を、また両揺動板３８ａの間に中央冷気室Ｒ3を形成している。この状態においては、各陳列容器１８ａ〜１８ｄの外周と貯氷槽部１６の内周との間に、図１０に示すように縦長の冷気通路Ｐが形成されている。この冷気通路Ｐは貯氷槽部１６の内周に設けた各遮断板１６ｂ，１６ｃによって、側部冷気室Ｒ1と中央冷気室Ｒ3間、側部冷気室Ｒ2と中央冷気室Ｒ3で遮断されている。
【００３６】
冷気循環機構４０ａ，４０ｂは同一構成の循環ファン装置であり、図４、図１０および図１４に示すように、ファンモータ４１と循環ファン部４２からなるもので、ファンモータ４１は貯氷槽１０ｂを構成する貯氷槽部１６の側壁部１６ｄの外側に固定されていて、その駆動軸４１ａが同側壁部１６ｄを気密的で回転可能に貫通して貯氷槽部１６の内部へ突出している。循環ファン部４２は駆動軸４１ａの先端部に組付けられている。
【００３７】
循環ファン部４２は、駆動軸４１ａの先端に固定されたファン４２ａと、ファン４２ａを覆蓋するファンカバー４２ｂを備えている。ファンカバー４２ｂには、正面に多数の冷気吸引口４２ｃが形成されているとともに、外周面に多数の冷気吐出口４２ｄが形成されており、各側部冷気室Ｒ1，Ｒ2における同じ側の部位に配置されている。循環ファン部４２は正面に向かって冷気吐出口４２ｄ側が下がる傾斜状態に配置されている。
【００３８】
これにより、当該冷気循環機構４０ａ，４０ｂにおいては、各側部冷気室Ｒ1，Ｒ2の冷気をファンカバー４２ｂの冷気吸引口４２ｃから吸引し、冷気吐出口４２ｄから各側部冷気室Ｒ1，Ｒ2に斜め下方へ吐出させる。
【００３９】
噴霧機構５０ａは、図４、図１５および図１６に示すように、霧発生器５１と、送風機５２と、貯水タンク５３を備えているもので、送風機５２はホース５４ａを介して移送機構３０ｂを構成する筒体３４に連結されて筒体３４内に連通し、かつ貯水タンク５３はホース５４ｂを介して製氷機構２０を構成する製氷機構部２１への給水ホース２１ｆの途中に接続されている。
【００４０】
噴霧機構５０ａにおいては、霧発生器５１の振動子の作動により貯水タンク５３内の水から多量の霧を発生させ、発生した多量の霧は送風機５２により移送機構３０ｂの筒体３４の内部に供給される。筒体３４内に供給された多量の霧は筒体３４内にて冷却され、筒体３４の上端部に設けた各噴出穴３４ａから外部へ噴出される。
【００４１】
排水機構５０ｂは、図４、図１７および図１８に示すように、排水タンク５５と、排水ホース５６と、排水管５７を備えている。排水タンク５５の側部には、その底部よりわずかに上方の部位の排出孔５５ａが設けられていて、右側のドレンパン１３ｂ内に配設されている。排水ホース５６は、その上端開口部にて貯氷槽部１６の底部に設けた排出孔１６ｅに接続されていて、その下端部が排水タンク５５内の底部に臨んでいる。なお、排出孔１６ｅには、中央部に小穴を有する目皿５６ａが嵌挿されている。目皿５６ａの小穴は、水を流出可能で、かつチップ状氷の流出を規制する寸法に形成されていて、容易に取外し可能に嵌挿されている。
【００４２】
排水管５７は単尺の筒体であって、その上下方向の中央部に小孔５７ａが形成されているもので、ドレンパン１３ｂにその底部を貫通した状態で液密的に嵌着されている。排水管５７は、この嵌着状態において、小孔５７ａをドレンパン１３ｂの上部にて位置させており、その上端開口部には排水タンク５５に設けた排出孔５５ａに一端を接続した接続ホース５８の他端が接続されている。
【００４３】
なお、排水タンク５５内には、製氷機構部２１のドレンホース２１ｇ、製氷水タンク２５からの排水ホース２５ａ等が臨んでいる。
【００４４】
このように構成した貯氷式陳列台は、例えば、各陳列容器１８ａ〜１８ｄに所望の飲食物類を収容して貯氷槽１０ｂを構成するテーブル１７の開口部１７ａの縁部に掛止して支持し、かつ各陳列容器１８ｅ，１８ｆを遮蔽板１９の各第２開口部１９ｃに嵌挿して支持して運転を開始する。当該貯氷式陳列台の運転は制御装置６０にて制御される。図１９は、当該貯氷式陳列台の運転中の貯氷槽１０ｂの状態が模式的に示しているもので、当該貯氷式陳列台の運転時には、製氷機構２０、冷気循環機構４０ａ，４０ｂ、および噴霧機構５０ａが稼動するとともに、氷検出機構３０ｃおよび排出機構５０ｂが作動する。
【００４５】
当該貯氷式陳列台においては、製氷機構２０にて生成された氷は押出機構３０ａへ順次に供給され、押出機構３０ａにおいては各第１溝部３１ａおよび各第２溝部３１ｂに供給される。各第１溝部３１ａに供給された氷は押出機構３０ａの案内板３２に衝突して折られ、チップ状氷となって各第１溝部３１ａの開口部から図１９の実線矢印のごとく貯氷槽部１６内へ順次供給される。チップ状氷の群は、順次供給されるチップ状氷の押出力により外側へ押出されて貯氷槽部１６の底部１６ａの全体に拡散される。
【００４６】
一方、押出機構３０ａの各第２溝部３１ｂに供給された氷は、移送機構３０ｂの搬送管３６の各管部３６ａ，３６ｂに図１９の破線矢印のごとく供給され、各管部３６ａ，３６ｂを上昇して搬送管３６の頂部３６ｄに衝突して折られ、チップ状氷となって受皿３５に配置した各受板３７上に落下する。各受板３７は受皿３５の外周縁側へ漸次下降傾斜しているため、チップ状氷は受皿３５の中央部を頂点として裾広がりに全体に拡散し、また受皿３５の外周縁からはみ出たチップ状氷は遮蔽板１９の第１開口部１９ｂを通して貯氷槽部１６内に落下する。チップ状氷の受皿３５上の堆積状態および受皿３５の外周縁からの落下状態は、陳列容器内の飲食物類を陳列する雰囲気を盛り上げる効果を発揮する。
【００４７】
製氷機構２０からの氷の供給中に貯氷槽部１６内のチップ状氷が所定量に達すると、氷検出機構３０ｃを構成する各揺動板３８ａが供給されるチップ状氷に押動されて左右の外側へ揺動して、各検知板３８ｃを揺動させる。この結果、各近接スイッチ３８ｄが動作して貯氷槽部１６内のチップ状氷が所定量に達したことを検出し、この検出信号を制御装置６０に出力する。制御装置６０は、この検出信号に基づいて製氷機構２０の運転を停止する信号を出力して、製氷機構２０の運転のみを停止させる。
【００４８】
各冷気循環機構４０ａ，４０ｂは当該貯氷式陳列台の運転中稼動し、各側部冷気室Ｒ1，Ｒ2内の冷気を循環ファン部４２の冷気吸引口４２ｃから吸引して、同循環ファン部４２の冷気吐出口４２ｄから各側部冷気室Ｒ1，Ｒ2内へ吐出する。循環ファン部４２に吸引された冷気は、冷気吸引口４２ｃより下方に位置する冷気吐出口４２ｄから斜め下方へ吐出されるため、各側部冷気室Ｒ1，Ｒ2内の冷気は図１９の実線矢印に示すように循環して流れる。
【００４９】
噴霧機構５０ａは当該貯氷式陳列台の運転中稼動し、霧発生器５１にて発生した大量の霧は送風機５２にて移送機構３０ｂを構成する筒体３４内に供給される。霧は筒体３４内にて冷却されて、筒体３４の上端部に設けた各噴出穴３４ａから白色の霧として噴出される。噴出された霧は、各陳列容器１８ａ〜１８ｆ上を図１９の実線で示すようにゆっくりと流れ、飲食物類の上方を覆って飲食物の乾燥を防ぐとともに、陳列雰囲気を盛り上げる効果を発揮する。
【００５０】
当該貯氷式陳列台においては、貯氷槽部１６内のチップ状氷が徐々に融解して貯氷槽部１６内に水が生成されるが、生成された水は貯氷槽部１６の底部１６ａに設けた排出孔１６ｅから、排水機構５０ｂを構成する排水ホース５６を経て排水タンク５５に流出し、排水タンク５５内に一旦滞留した後接続ホース５８、および排水管５７を経て排出される。排水機構５０ｂにおいては、図１７および図１８に示すように、排水タンク５５の排出孔５５ａが排水タンク５５の底部より高い位置にあって、排水タンク５５の底部には所定量の水が常に滞留し（図１８の２点鎖線で示す水位）、かつ排水ホース５６の下端部が滞留する水に臨んでいるため、排水溝等から排水ホース５６への臭気の伝播が遮断される。
【００５１】
一方、各ドレンパン１３ａ，１３ｂへは貯氷槽１０ｂ等の外周に結露して生成された水が落下するが、ドレンパン１３ｂ上に落下した水は排水管５７に設けた小孔５７ａから排水管５７を経て排出される。なお、ドレンパン１３ａに落下した水も、ドレンパン１３ａに設けた排水管５７と同様の排水管に設けた小孔から同排水管を経て排出される。
【００５２】
このように、当該貯氷式陳列台においては、移送機構３０ｂを構成する搬送管３６の上端部からチップ状氷が順次吐出して落下するため、このチップ状氷の動きに周囲の人々の注意を引き付けることができ、各陳列容器１８ａ〜１８ｆ内の飲食物類の陳列効果を一層発揮することができる。
【００５３】
また、当該貯氷式陳列台においては、移送機構３０ｂを、押出機構３０ａの氷を上方へ案内する第２溝部３１ｂに連通し上方へ延びる搬送管３６と、搬送管３６の上端開口部に臨み同開口部からの氷のそれ以上の上方への吐出を規制して屈折しチップ状氷として落下させる屈折部（頂部３６ｄ）と、搬送管３６の外周部を包囲して搬送管３６を外気から遮断する筒体３４を備えた構成としているので、チップ状氷を搬送管３６の上端部から円滑に吐出させることができることは勿論のこと、筒体３４が搬送管３６に対して外気を遮断するため、搬送管３６内を移動する氷の搬送管３６内での融解が防止される。このため、氷が搬送管３６内で融解することにより、チップ状氷の吐出量が減少するようなことがない。
【００５４】
また、当該移送機構３０ｂを構成する筒体３４の上端部には、搬送管３６の上端部から吐出されるチップ状氷を所定量受承する受皿３５を備えているため、搬送管３６の上端部から吐出されたチップ状氷は一旦受皿３５に受承された後落下し、陳列効果は一層向上する。しかも、受皿３５には中央部から外周縁側へ漸次下降傾斜する受板３７を配置しているため、チップ状氷は受皿３５上の中央部に盛り上がった状態で受皿３５上にほぼ全体に万遍なく受承され、陳列効果はさらに向上する。
【００５５】
また、当該貯氷式陳列台においては、貯氷槽１０ｂの上方開口部１７ａを、移送機構３０ｂが貫通する開口部１９ｂを有する遮蔽板１９と、遮蔽板１９の両側にて隙間なく配列された各陳列容器１８ａ〜１８ｄとにより覆蓋するように構成し、かつ遮蔽板１９が有する開口部１９ｂを受皿３５からのチップ状氷が通過して落下する形状に形成しているため、貯氷槽１０ｂの上方開口部１７ａの全体を覆蓋した状態で、受皿３５上のチップ状氷を支障なく貯氷槽１０ｂ内へ落下させることができる。
【００５６】
この場合、遮蔽板１９および各陳列容器１８ａ〜１８ｆとして透明なものを採用すれば、貯氷槽１０ｂ内のチップ状氷群を視認することができて、周囲の人々の注意を一層引き付ける。
【図面の簡単な説明】
【図１】本発明の一例に係る貯氷式陳列台の正面図である。
【図２】同陳列台の平面図である。
【図３】同陳列台の側面図である。
【図４】同陳列台の貯氷槽を縦断した状態の正面図である。
【図５】同陳列台の各陳列容器を除去した状態の平面図である。
【図６】同陳列台の基台を構成する支持フレームの正面図である。
【図７】同支持フレームにおける下方枠部の平面図である。
【図８】同支持フレームにおける上方枠部の平面図である。
【図９】同支持フレームに対する貯氷槽の支持状態の一部を示す平面図である。
【図１０】同陳列台を構成する製氷機構および貯氷槽の関係を示す貯氷槽を縦断した側面図である。
【図１１】同陳列台を構成する製氷機構、押出機構、および移送機構の関係を示す一部縦断側面図である。
【図１２】同移送機構を構成する受皿および受板の平面図（ａ）、同受板の平面図（ｂ）、および同受板の正面図（ｃ）である。
【図１３】同陳列台を構成する氷検出機構の斜視図である。
【図１４】同陳列台を構成する冷気循環機構である循環ファン装置の取付け状態を示す一部縦断側面図である。
【図１５】同陳列台を構成する噴霧機構の正面図である。
【図１６】同噴霧機構の側面図である。
【図１７】同陳列台を構成する排水機構の正面図である。
【図１８】同排水機構を構成する排水タンクの配設状態を示す一部縦断側面図である。
【図１９】同陳列台における運転中の貯氷槽の内部および上方部を示す模式図である。
【符号の説明】
１０ａ…基台、１１…支持フレーム、１１ａ…棚部、１１ｂ…水逃穴、１２ａ…キャスター、１２ｂ…脚部、１３ａ，１３ｂ…ドレンパン、１４ａ〜１４ｃ…開閉扉、１５ａ〜１５ｃ…パネル、１０ｂ…貯氷槽、１６…貯氷槽部、１６ａ…底部、１６ｂ，１６ｃ…遮断板、１６ｄ…側壁部、１６ｅ…排出孔、１７…テーブル、１８ａ〜１８ｄ…陳列容器、１８ｅ，１８ｆ…陳列容器、１９…遮蔽板、１９ａ…鍔部、１９ｂ…第１開口部、１９ｃ…第２開口部、２０…製氷機構、２１…製氷機構部、２１ａ，２１ｂ…ケーシング、２１ｃ…冷却管、２１ｄ…オーガ、２１ｅ…固定刃、２１ｆ…給水ホース、２１ｇ…ドレンホース、２２…コンプッサ、２３…コンデンサ、２４…冷却ファン、２５…製氷水タンク、２５ａ…排水ホース、３０ａ…押出機構、３１…円柱状本体、３１ａ…第１溝部、３１ｂ…第２溝部、３２…案内板、３３…ボルト、３０ｂ…移送機構、３４…筒体、３４ａ…噴出穴、３５…受皿、３６…搬送管、３６ａ，３６ｂ…管部、３６ｃ…側壁部、３６ｄ…頂部、３７…受板、３７ａ…板部、３７ｂ…突起部、３７ｃ…凹所、３７ｄ…中央部、３０ｃ…氷検出機構、３８ａ…搖動板、３８ｂ…支持棒、３８ｃ…検知板、３８ｄ…近接スイッチ、３８ｅ…支持板、４０ａ，４０ｂ…冷気循環機構、４１…ファンモータ、４１ａ…駆動軸、４２…循環ファン部、４２ａ…ファン、４２ｂ…ファンカバー、４２ｃ…冷気吸引口、４２ｄ…冷気吐出口、５０ａ…噴霧機構、５１…霧発生器、５２…送風機、５３…貯水タンク、５４ａ，５４ｂ…ホース、５０ｂ…排水機構、５５…排水タンク、５５ａ…排出孔、５６…排水ホース、５６ａ…目皿、５７…排水管、５７ａ…小孔、５８…接続ホース、Ｐ…冷気通路、Ｒ1，Ｒ2，Ｒ3…冷気室。
【図１】
0003667421.tif 000002
【図２】
0003667421.tif 000003
【図３】
0003667421.tif 000004
【図４】
0003667421.tif 000005
【図５】
0003667421.tif 000006
【図６】
0003667421.tif 000007
【図７】
0003667421.tif 000008
【図８】
0003667421.tif 000009
【図９】
0003667421.tif 000010
【図１０】
0003667421.tif 000011
【図１１】
0003667421.tif 000012
【図１２】
0003667421.tif 000013
【図１３】
0003667421.tif 000014
【図１４】
0003667421.tif 000015
【図１５】
0003667421.tif 000016
【図１６】
0003667421.tif 000017
【図１７】
0003667421.tif 000018
【図１８】
0003667421.tif 000019
【図１９】
0003667421.tif 000020